(57)【要約】【課題】所定の動作を行う装置の動作状態に関する動作情報や物品や情報やサービスの利用量に関する利用情報を収集し、動作情報や利用情報に応じて、装置や物品や情報やサービスの代金を決定し、通信代金と併せて請求、回収する代金回収システム及び代金管理サーバを提供する。【解決手段】遊技機製造会社１からパチンコ店２にレンタルされたパチンコ機８には動作情報転送装置９が設けられ、パチンコ機８の動作情報を収集する。動作情報は動作情報収集サーバ４のポーリングコントローラ７から呼出されることにより、動作情報転送装置９から動作情報収集サーバ４に送信、記憶され、さらにインターネット６を介して電話会社３の代金管理サーバ５に送信される。代金管理サーバ５ではパチンコ機８の代金を決定し、電話料金と併せて請求する代金回収データを作成する。【選択図】　図２
2004024895.tif 000002
【特許請求の範囲】
【請求項１】
物品や情報やサービスの利用量に関する利用情報を収集する利用情報収集サーバと、前記物品や情報やサービスの代金回収データを作成する代金管理サーバとをネットワークを介して接続した代金回収システムであって、
前記利用情報収集サーバは、
前記利用情報を入力する利用情報収集サーバ側利用情報入力手段と、
前記利用情報収集サーバ側利用情報入力手段により入力された利用情報を少なくとも一時的に記憶する利用情報収集サーバ側利用情報記憶手段と、
当該利用情報収集サーバ側利用情報記憶手段に記憶された前記利用情報を前記ネットワークを介して、前記代金管理サーバに送信する利用情報収集サーバ側利用情報送信手段とを備え、
前記代金管理サーバは、
前記利用情報収集サーバ側利用情報送信手段から送信された前記利用情報を受信する代金管理サーバ側利用情報受信手段と、
当該代金管理サーバ側利用情報受信手段が受信した前記利用情報を少なくとも一時的に記憶する代金管理サーバ側利用情報記憶手段と、
当該代金管理サーバ側利用情報記憶手段に記憶された前記利用情報に基づいて、物品や情報やサービスの代金を決定し、代金回収データを作成する代金回収データ作成手段と、
当該代金回収データ作成手段により作成された前記代金回収データを記憶する代金回収データ記憶手段とを備えたことを特徴とする代金回収システム。
【請求項２】
前記利用情報収集サーバは、前記物品や情報やサービスが提供された場合に前記利用情報が少なくとも一時的に記憶される装置から、前記利用情報を受信することを特徴とする請求項１に記載の代金回収システム。
【請求項３】
所定の動作を行う装置の動作状態に関する動作情報を収集する動作情報収集サーバと、前記所定の動作を行う装置の代金回収データを作成する代金管理サーバとをネットワークを介して接続した代金回収システムであって、
前記所定の動作を行う装置には、当該動作情報を前記動作情報収集サーバに送信するための動作情報送信手段が接続され、
前記動作情報収集サーバは、
前記動作情報送信手段から送信された前記動作情報を受信する動作情報収集サーバ側動作情報受信手段と、
当該動作情報収集サーバ側動作情報受信手段が受信した前記動作情報を少なくとも一時的に記憶する動作情報収集サーバ側動作情報記憶手段と、
当該動作情報収集サーバ側動作情報記憶手段に記憶された前記動作情報を前記ネットワークを介して、前記代金管理サーバに送信する動作情報収集サーバ側動作情報送信手段とを備え、
前記代金管理サーバは、
前記動作情報収集サーバ側動作情報送信手段から送信された前記動作情報を受信する代金管理サーバ側動作情報受信手段と、
当該代金管理サーバ側動作情報受信手段が受信した前記動作情報を少なくとも一時的に記憶する代金管理サーバ側動作情報記憶手段と、
当該代金管理サーバ側動作情報記憶手段に記憶された前記動作情報に基づいて、所定の動作を行う装置の代金を決定し、代金回収データを作成する代金回収データ作成手段と、
当該代金回収データ作成手段により作成された前記代金回収データを記憶する代金回収データ記憶手段とを備えたことを特徴とする代金回収システム。
【請求項４】
前記利用情報収集サーバ又は前記動作情報収集サーバには、前記利用情報が少なくとも一時的に記憶される装置又は所定の動作を行う装置に対して呼出しを行い、前記動作情報又は前記利用情報の送信を要求するポーリング手段が設けられていることを特徴とする請求項２又は３に記載の代金回収システム。
【請求項５】
前記動作情報は、所定の動作を行う装置の所定期間内の所定の動作の反復回数、所定の動作を行う装置が所定期間内に動作した動作量及び動作時間の少なくとも一つであることを特徴とする請求項３又は４に記載の代金回収システム。
【請求項６】
前記代金回収データ作成手段は、前記利用情報又は前記動作情報に基づいて決定した代金を所定期間毎に集計して、所定期間毎の代金を決定することを特徴とする請求項１乃至５の何れかに記載の代金回収システム。
【請求項７】
前記代金回収データ作成手段は、前記利用情報又は前記動作情報に基づいて決定した代金を所定期間毎に集計して、所定期間毎の代金を代金支払者毎に集計して、所定期間毎の代金支払者毎の代金を決定することを特徴とする請求項６に記載の代金回収システム。
【請求項８】
前記代金回収データ作成手段が作成した所定期間毎の代金支払者毎の代金を通信代金と併せて請求する通信代金請求処理手段を備えたことを特徴とする請求項７に記載の代金回収システム。
【請求項９】
前記通信代金請求処理手段は、代金支払者に、銀行等金融機関と自動引落しの契約がある場合には自動引落しデータを作成し、また、クレジットカード会社と当該代金についてクレジットカード利用代金として支払いをする契約がある場合にはクレジット支払データを作成することを特徴とする請求項８に記載の代金回収システム。
【請求項１０】
前記通信代金は電話料金であることを特徴とする請求項８又は９に記載の代金回収システム。
【請求項１１】
前記代金回収データ作成手段は、前記利用情報、前記動作情報、前記代金回収データの内少なくとも１つが所定の閾値以下の場合には、前記代金の課金を行わないことを特徴とする請求項１乃至１０の何れかに記載の代金回収システム。
【請求項１２】
前記所定の動作を行う装置は、遊技機であることを特徴とする請求項３乃至１１の何れかに記載の代金回収システム。
【請求項１３】
前記動作情報は、所定期間内に利用された遊技機の遊技媒体の数であることを特徴とする請求項３乃至１２の何れかに記載の代金回収システム。
【請求項１４】
前記代金は、前記物品や情報やサービス又は前記所定の動作を行う装置の貸与を受けた者が支払う貸与代金であることを特徴とする請求項１乃至１３の何れかに記載の代金回収システム。
【請求項１５】
前記代金回収データ作成手段にて、前記利用情報に基づいて前記物品や情報やサービスの代金を決定する際や、前記動作情報に基づいて前記所定の動作を行う装置の代金を決定する際に使用する課金用データテーブルは、前記物品や情報やサービスや装置の種類、前記物品や情報やサービスの提供時期、前記装置設置時期、前記物品や情報やサービスの提供期間、前記装置設置期間及び代金支払者により異なることを特徴とする請求項１乃至１４の何れかに記載の代金回収システム。
【請求項１６】
物品や情報やサービスの利用量に関する利用情報を収集する利用情報収集サーバとネットワークを介して接続され、前記物品や情報やサービスの代金回収データを作成する代金管理サーバであって、
前記利用情報収集サーバから送信された前記利用情報を受信する代金管理サーバ側利用情報受信手段と、
当該代金管理サーバ側利用情報受信手段が受信した前記利用情報を少なくとも一時的に記憶する代金管理サーバ側利用情報記憶手段と、
当該代金管理サーバ側利用情報記憶手段に記憶された前記利用情報に基づいて、前記物品や情報やサービスの代金を決定し、代金回収データを作成する代金回収データを作成する代金回収データ作成手段と、
当該代金回収データ作成手段により作成された前記代金回収データを記憶する代金回収データ記憶手段とを備えたことを特徴とする代金管理サーバ。
【請求項１７】
所定の動作を行う装置の動作状態に関する動作情報を収集する動作情報収集サーバとネットワークを介して接続され、前記所定の動作を行う装置の代金回収データを作成する代金管理サーバであって、
前記動作情報収集サーバから送信された前記動作情報を受信する代金管理サーバ側動作情報受信手段と、
当該代金管理サーバ側動作情報受信手段が受信した前記動作情報を少なくとも一時的に記憶する代金管理サーバ側動作情報記憶手段と、
当該代金管理サーバ側動作情報記憶手段に記憶された前記動作情報に基づいて、所定の動作を行う装置の代金を決定し、代金回収データを作成する代金回収データ作成手段と、
当該代金回収データ作成手段により作成された前記代金回収データを記憶する代金回収データ記憶手段とを備えたことを特徴とする代金管理サーバ。
【請求項１８】
前記動作情報は、所定の動作を行う装置の所定期間内の所定の動作の反復回数、所定の動作を行う装置が所定期間内に動作した動作量及び動作時間の少なくとも一つであることを特徴とする請求項１７に記載の代金管理サーバ。
【請求項１９】
前記代金回収データ作成手段は、前記利用情報又は前記動作情報に基づいて決定した代金を所定期間毎に集計して、所定期間毎の代金を決定することを特徴とする請求項１６乃至１８の何れかに記載の代金管理サーバ。
【請求項２０】
前記代金回収データ作成手段は、前記利用情報又は前記動作情報に基づいて決定した代金を所定期間毎に集計して、所定期間毎の代金を代金支払者毎に集計して、所定期間毎の代金支払者毎の代金を決定することを特徴とする請求項１９に記載の代金管理サーバ。
【請求項２１】
前記代金回収データ作成手段が作成した所定期間毎の代金支払者毎の代金を通信代金と併せて請求する通信代金請求処理手段を備えたことを特徴とする請求項２０に記載の代金管理サーバ。
【請求項２２】
前記通信代金は電話料金であることを特徴とする請求項２１に記載の代金管理サーバ。
【請求項２３】
前記代金回収データ作成手段は、前記利用情報、前記動作情報、前記代金回収データの内少なくとも１つが所定の閾値以下の場合には、前記代金の課金を行わないことを特徴とする請求項１６乃至２２の何れかに記載の代金管理サーバ。
【請求項２４】
前記所定の動作を行う装置は、遊技機であることを特徴とする請求項１７乃至２３の何れかに記載の代金管理サーバ。
【請求項２５】
前記動作情報は、所定期間内に利用された遊技機の遊技媒体の数であることを特徴とする請求項１７乃至２４の何れかに記載の代金管理サーバ。
【請求項２６】
前記代金は、前記物品や情報やサービス又は前記所定の動作を行う装置の貸与を受けた者が支払う貸与代金であることを特徴とする請求項１６乃至２５の何れかに記載の代金管理サーバ。
【請求項２７】
前記代金回収データ作成手段にて、前記利用情報に基づいて前記物品や情報やサービスの代金を決定する際や、前記動作情報に基づいて前記所定の動作を行う装置の代金を決定する際に使用する課金用データテーブルは、前記物品や情報やサービスや装置の種類、前記物品や情報やサービスの提供時期、前記装置設置時期、前記物品や情報やサービスの提供期間、前記装置設置期間及び代金支払者により異なることを特徴とする請求項１６乃至２６の何れかに記載の代金管理サーバ。
【発明の詳細な説明】
【０００１】
【発明の属する技術分野】
本発明は、代金回収システム及び代金管理サーバに関し、詳細には、例えば、遊技機をレンタルした場合に、稼働状況に応じてレンタル代金を決定し、電話代金と併せて回収する代金回収システム及び代金管理サーバに関する。
【従来の技術】
従来、所定の動作を行う装置の一種であるパチンコ機やパチスロ機等の遊技機は、遊技場が遊技機製造会社から買い取るとういう形態により取引されている。この場合には、図１８に示すように、遊技機製造会社１からパチンコ店２に対して、遊技機等の商品の提供や機器の設置等のサービスを提供し、その代金をパチンコ店２に請求して、パチンコ店２から代金の支払いを受けるようになっている。また、遊技場は不用になった遊技機は、中古機市場へ流されるか、新しい遊技機との入れ替え時に廃棄処理業者に引き取られ、費用を掛けて処分されている。したがって、遊技場が新しい遊技機を設置する場合には、新遊技機の購入費用と不用遊技機の処分費用とが必要となり、多大な初期投資が必要となっている。
【０００２】
【発明が解決しようとする課題】
しかしながら、遊技場が遊技機の購入に多大な初期投資をすることは、遊技場にとって負担である。そこで、一般的に用いられているような固定額によるレンタルやリースといった貸与形態での遊技機の提供が考えられる。これは、遊技場が新しい遊技機を入手するための多大な初期投資を逃れることはできるが、契約後一定期間は契約を継続しなければならないという制約があるため、遊技者に人気がない遊技機であっても一定期間設置しなければならず、稼働率の良い遊技機に対しても、稼働率の悪い遊技機に対しても固定額の代金を支払い続けなければならない。さらに、遊技機製造会社側においても、貸与先遊技場の貸与状況を管理したり、請求書の作成を行ったり、代金の入金を管理したりすることは煩雑である。また、買い取り形態では、遊技機が不用となった際には廃棄処理業者に引き取られており、リサイクルを行うことは難しかった。さらに、遊技機は廃棄処分されているはずであるが、実際には不法投棄が社会問題となっている。
【０００３】
本発明は、上記課題を解決するためになされたものであり、遊技機をレンタルした場合に、遊技機の稼働状況に応じてレンタル代金を決定し、電話料金と併せて回収する代金回収システム及び代金管理サーバを提供することを目的とする。
【０００４】
【課題を解決するための手段】
上記課題を解決するため、請求項１に係る発明の代金回収システムは、物品や情報やサービスの利用量に関する利用情報を収集する利用情報収集サーバと、前記物品や情報やサービスの代金回収データを作成する代金管理サーバとをネットワークを介して接続した代金回収システムであって、前記利用情報収集サーバは、前記利用情報を入力する利用情報収集サーバ側利用情報入力手段と、前記利用情報収集サーバ側利用情報入力手段により入力された利用情報を少なくとも一時的に記憶する利用情報収集サーバ側利用情報記憶手段と、当該利用情報収集サーバ側利用情報記憶手段に記憶された前記利用情報を前記ネットワークを介して、前記代金管理サーバに送信する利用情報収集サーバ側利用情報送信手段とを備え、前記代金管理サーバは、前記利用情報収集サーバ側利用情報送信手段から送信された前記利用情報を受信する代金管理サーバ側利用情報受信手段と、当該代金管理サーバ側利用情報受信手段が受信した前記利用情報を少なくとも一時的に記憶する代金管理サーバ側利用情報記憶手段と、当該代金管理サーバ側利用情報記憶手段に記憶された前記利用情報に基づいて、物品や情報やサービスの代金を決定し、代金回収データを作成する代金回収データ作成手段と、当該代金回収データ作成手段により作成された前記代金回収データを記憶する代金回収データ記憶手段とを備えたことを特徴とする。
【０００５】
この構成の代金回収システムでは、利用情報収集サーバの利用情報収集サーバ側利用情報入力手段は、利用情報を入力し、利用情報収集サーバ側利用情報記憶手段は、利用情報収集サーバ側利用情報入力手段により入力された利用情報を少なくとも一時的に記憶し、利用情報収集サーバ側利用情報送信手段は、利用情報収集サーバ側利用情報記憶手段に記憶された利用情報をネットワークを介して、代金管理サーバに送信する。また、代金管理サーバの代金管理サーバ側利用情報受信手段は、利用情報収集サーバ側利用情報送信手段から送信された利用情報を受信し、代金管理サーバ側利用情報記憶手段は、代金管理サーバ側利用情報受信手段が受信した利用情報を少なくとも一時的に記憶し、代金回収データ作成手段は、代金管理サーバ側利用情報記憶手段に記憶された利用情報に基づいて、物品や情報やサービスの代金を決定し、代金回収データを作成し、代金回収データ記憶手段は、代金回収データ作成手段により作成された代金回収データを記憶する。尚、代金回収データ作成手段では、利用情報に対応させて物品や情報やサービスの代金を決定してもよい。
【０００６】
また、請求項２に係る発明の代金回収システムでは、請求項１に記載の発明の構成に加えて、前記利用情報収集サーバは、前記物品や情報やサービスが提供された場合に前記利用情報が少なくとも一時的に記憶される装置から、前記利用情報を受信することを特徴とする構成となっている。
【０００７】
この構成の代金回収システムでは、請求項１に記載の発明の作用に加えて、利用情報収集サーバは、物品や情報やサービスが提供された場合に利用情報が少なくとも一時的に記憶される装置から利用情報を受信する。
【０００８】
また、請求項３に係る発明の代金回収システムは、所定の動作を行う装置の動作状態に関する動作情報を収集する動作情報収集サーバと、前記所定の動作を行う装置の代金回収データを作成する代金管理サーバとをネットワークを介して接続した代金回収システムであって、前記所定の動作を行う装置には、当該動作情報を前記動作情報収集サーバに送信するための動作情報送信手段が接続され、前記動作情報収集サーバは、前記動作情報送信手段から送信された前記動作情報を受信する動作情報収集サーバ側動作情報受信手段と、当該動作情報収集サーバ側動作情報受信手段が受信した前記動作情報を少なくとも一時的に記憶する動作情報収集サーバ側動作情報記憶手段と、当該動作情報収集サーバ側動作情報記憶手段に記憶された前記動作情報を前記ネットワークを介して、前記代金管理サーバに送信する動作情報収集サーバ側動作情報送信手段とを備え、前記代金管理サーバは、前記動作情報収集サーバ側動作情報送信手段から送信された前記動作情報を受信する代金管理サーバ側動作情報受信手段と、当該代金管理サーバ側動作情報受信手段が受信した前記動作情報を少なくとも一時的に記憶する代金管理サーバ側動作情報記憶手段と、当該代金管理サーバ側動作情報記憶手段に記憶された前記動作情報に基づいて、所定の動作を行う装置の代金を決定し、代金回収データを作成する代金回収データ作成手段と、当該代金回収データ作成手段により作成された前記代金回収データを記憶する代金回収データ記憶手段とを備えている。
【０００９】
この構成の代金回収システムでは、所定の動作を行う装置に接続された動作情報送信手段は、動作情報を動作情報収集サーバに送信し、動作情報収集サーバの動作情報収集サーバ側動作情報受信手段は、動作情報送信手段から送信された動作情報を受信し、動作情報収集サーバ側動作情報記憶手段は、動作情報収集サーバ側動作情報受信手段が受信した動作情報を少なくとも一時的に記憶し、動作情報収集サーバ側動作情報送信手段は、動作情報収集サーバ側動作情報記憶手段に記憶された動作情報をネットワークを介して、代金管理サーバに送信する。また、代金管理サーバの代金管理サーバ側動作情報受信手段は、動作情報収集サーバ側動作情報送信手段から送信された動作情報を受信し、代金管理サーバ側動作情報記憶手段は、代金管理サーバ側動作情報受信手段が受信した動作情報を少なくとも一時的に記憶し、代金回収データ作成手段は、代金管理サーバ側動作情報記憶手段に記憶された動作情報に基づいて、所定の動作を行う装置の代金を決定し、代金回収データを作成し、代金回収データ記憶手段は、代金回収データ作成手段により作成された代金回収データを記憶する。尚、代金回収データ作成手段では、動作情報に対応させて代金を決定してもよい。
【００１０】
また、請求項４に係る発明の代金回収システムは、請求項２又は３に記載の発明の構成に加えて、前記利用情報収集サーバ又は前記動作情報収集サーバには、前記利用情報が少なくとも一時的に記憶される装置又は所定の動作を行う装置に対して呼出しを行い、前記動作情報又は前記利用情報の送信を要求するポーリング手段が設けられていることを特徴とする構成となっている。
【００１１】
この構成の代金回収システムでは、請求項２又は３に記載の発明の作用に加えて、利用情報収集サーバ又は動作情報収集サーバのポーリング手段は、利用情報が少なくとも一時的に記憶される装置又は所定の動作を行う装置に対して呼出しを行い、動作情報又は利用情報の送信を要求する。
【００１２】
また、請求項５に係る発明の代金回収システムでは、請求項３又は４に記載の発明の構成に加えて、前記動作情報は、所定の動作を行う装置の所定期間内の所定の動作の反復回数、所定の動作を行う装置が所定期間内に動作した動作量及び動作時間の少なくとも一つであることを特徴とする構成となっている。
【００１３】
この構成の代金回収システムでは、請求項３又は４に記載の発明の作用に加えて、動作情報は、所定の動作を行う装置の所定期間内の所定の動作の反復回数、所定の動作を行う装置が所定期間内に動作した動作量及び動作時間の少なくとも一つが用いられる。
【００１４】
また、請求項６に係る発明の代金回収システムでは、請求項１乃至５の何れかに記載の発明の構成に加えて、前記代金回収データ作成手段は、前記利用情報又は前記動作情報に基づいて決定した代金を所定期間毎に集計して、所定期間毎の代金を決定することを特徴とする構成となっている。
【００１５】
この構成の代金回収システムでは、請求項１乃至５の何れかに記載の発明の作用に加えて、代金回収データ作成手段は、利用情報又は動作情報に基づいて決定した代金を所定期間毎に集計して、所定期間毎の代金を決定する。尚、利用情報又は動作情報に対応させて代金を決定してもよい。
【００１６】
また、請求項７に係る発明の代金回収システムでは、請求項６に記載の発明の構成に加えて、前記代金回収データ作成手段は、前記利用情報又は前記動作情報に基づいて決定した代金を所定期間毎に集計して、所定期間毎の代金を代金支払者毎に集計して、所定期間毎の代金支払者毎の代金を決定することを特徴とする構成となっている。
【００１７】
この構成の代金回収システムでは、請求項６に記載の発明の作用に加えて、代金回収データ作成手段は、利用情報又は動作情報に基づいて決定した代金を所定期間毎に集計して、所定期間毎の代金を代金支払者毎に集計して、所定期間毎の代金支払者毎の代金を決定する。尚、利用情報又は動作情報に対応させて代金を決定してもよい。
【００１８】
また、請求項８に係る発明の代金回収システムでは、請求項７に記載の発明の構成に加えて、前記代金回収データ作成手段が作成した所定期間毎の代金支払者毎の代金を通信代金と併せて請求する通信代金請求処理手段を備えたことを特徴とする構成となっている。
【００１９】
この構成の代金回収システムでは、請求項７に記載の発明の作用に加えて、通信代金請求処理手段は、代金回収データ作成手段が作成した所定期間毎の代金支払者毎の代金を通信代金と併せて請求する。
【００２０】
また、請求項９に係る発明の代金回収システムでは、請求項８に記載の発明の構成に加えて、前記通信代金請求処理手段は、代金支払者に、銀行等金融機関と自動引落しの契約がある場合には自動引落しデータを作成し、また、クレジットカード会社と当該代金についてクレジットカード利用代金として支払いをする契約がある場合にはクレジット支払データを作成することを特徴とする構成となっている。
【００２１】
この構成の代金回収システムでは、請求項８に記載の発明の作用に加えて、通信代金請求処理手段は、代金支払者に、銀行等金融機関と自動引落しの契約がある場合には自動引落しデータを作成し、また、クレジットカード会社と代金についてクレジットカード利用代金として支払いをする契約がある場合にはクレジット支払データを作成する。
【００２２】
また、請求項１０に係る発明の代金回収システムでは、請求項８又は９に記載の発明の構成に加えて、前記通信代金は電話料金であることを特徴とする構成となっている。
【００２３】
この構成の代金回収システムでは、請求項８又は９に記載の発明の作用に加えて、通信代金は電話料金が用いられる。
【００２４】
また、請求項１１に係る発明の代金回収システムでは、請求項１乃至１０の何れかに記載の発明の構成に加えて、前記代金回収データ作成手段は、前記利用情報、前記動作情報、前記代金回収データの内少なくとも１つが所定の閾値以下の場合には、前記代金の課金を行わないことを特徴とする構成となっている。
【００２５】
この構成の代金回収システムでは、請求項１乃至１０の何れかに記載の発明の作用に加えて、代金回収データ作成手段は、利用情報、動作情報、代金回収データの内少なくとも１つが所定の閾値以下の場合には、代金の課金を行わない。
【００２６】
また、請求項１２に係る発明の代金回収システムでは、請求項３乃至１１の何れかに記載の発明の構成に加えて、前記所定の動作を行う装置は遊技機であることを特徴とする構成となっている。
【００２７】
この構成の代金回収システムでは、請求項３乃至１１の何れかに記載の発明の作用に加えて、所定の動作を行う装置は遊技機が用いられる。
【００２８】
また、請求項１３に係る発明の代金回収システムでは、請求項３乃至１２の何れかに記載の発明の構成に加えて、前記動作情報は所定期間内に利用された遊技機の遊技媒体の数であることを特徴とする。
【００２９】
この構成の代金回収システムでは、請求項３乃至１２の何れかに記載の発明の作用に加えて、動作情報は所定期間内に利用された遊技機の遊技媒体の数が用いられる。
【００３０】
また、請求項１４に係る発明の代金回収システムでは、請求項１乃至１３の何れかに記載の発明の構成に加えて、前記代金は、前記物品や情報やサービス又は前記所定の動作を行う装置の貸与を受けた者が支払う貸与代金であることを特徴とする構成となっている。
【００３１】
この構成の代金回収システムでは、請求項１乃至１３の何れかに記載の発明の作用に加えて、代金は、物品や情報やサービス又は所定の動作を行う装置の貸与を受けた者が支払う貸与代金が用いられる。
【００３２】
また、請求項１５に係る発明の代金回収システムでは、請求項１乃至１４の何れかに記載の発明の構成に加えて、前記代金回収データ作成手段にて、前記利用情報に基づいて前記物品や情報やサービスの代金を決定する際や、前記動作情報に基づいて前記所定の動作を行う装置の代金を決定する際に使用する課金用データテーブルは、前記物品や情報やサービスや装置の種類、前記物品や情報やサービスの提供時期、前記装置設置時期、前記物品や情報やサービスの提供期間、前記装置設置期間及び代金支払者により異なることを特徴とする構成となっている。
【００３３】
この構成の代金回収システムでは、請求項１乃至１４の何れかに記載の発明の作用に加えて、代金回収データ作成手段にて、利用情報に基づいて物品や情報やサービスの代金を決定する際や、動作情報に基づいて所定の動作を行う装置の代金を決定する際に使用する課金用データテーブルは、物品や情報やサービスや装置の種類、物品や情報やサービスの提供時期、装置設置時期、物品や情報やサービスの提供期間、装置設置期間及び代金支払者により異なる。
【００３４】
また、請求項１６に係る発明の代金管理サーバは、物品や情報やサービスの利用量に関する利用情報を収集する利用情報収集サーバとネットワークを介して接続され、前記物品や情報やサービスの代金回収データを作成する代金管理サーバであって、前記利用情報収集サーバから送信された前記利用情報を受信する代金管理サーバ側利用情報受信手段と、当該代金管理サーバ側利用情報受信手段が受信した前記利用情報を少なくとも一時的に記憶する代金管理サーバ側利用情報記憶手段と、当該代金管理サーバ側利用情報記憶手段に記憶された前記利用情報に基づいて、前記物品や情報やサービスの代金を決定し、代金回収データを作成する代金回収データを作成する代金回収データ作成手段と、当該代金回収データ作成手段により作成された前記代金回収データを記憶する代金回収データ記憶手段とを備えている。
【００３５】
この構成の代金管理サーバでは、代金管理サーバ側利用情報受信手段は、利用情報収集サーバから送信された利用情報を受信し、代金管理サーバ側利用情報記憶手段は、代金管理サーバ側利用情報受信手段が受信した利用情報を少なくとも一時的に記憶し、代金回収データ作成手段は、代金管理サーバ側利用情報記憶手段に記憶された利用情報に基づいて、物品や情報やサービスの代金を決定し、代金回収データを作成する代金回収データを作成し、代金回収データ記憶手段は、代金回収データ作成手段により作成された代金回収データを記憶する。尚、代金回収データ作成手段では、利用情報に対応させて物品や情報やサービスの代金を決定してもよい。
【００３６】
また、請求項１７に係る発明の代金管理サーバは、所定の動作を行う装置の動作状態に関する動作情報を収集する動作情報収集サーバとネットワークを介して接続され、前記所定の動作を行う装置の代金回収データを作成する代金管理サーバであって、前記動作情報収集サーバから送信された前記動作情報を受信する代金管理サーバ側動作情報受信手段と、当該代金管理サーバ側動作情報受信手段が受信した前記動作情報を少なくとも一時的に記憶する代金管理サーバ側動作情報記憶手段と、当該代金管理サーバ側動作情報記憶手段に記憶された前記動作情報に基づいて、所定の動作を行う装置の代金を決定し、代金回収データを作成する代金回収データ作成手段と、当該代金回収データ作成手段により作成された前記代金回収データを記憶する代金回収データ記憶手段とを備えている。
【００３７】
この構成の代金管理サーバでは、代金管理サーバ側動作情報受信手段は、動作情報収集サーバから送信された動作情報を受信し、代金管理サーバ側動作情報記憶手段は、代金管理サーバ側動作情報受信手段が受信した動作情報を少なくとも一時的に記憶し、代金回収データ作成手段は、代金管理サーバ側動作情報記憶手段に記憶された動作情報に基づいて、所定の動作を行う装置の代金を決定し、代金回収データを作成し、代金回収データ記憶手段は、代金回収データ作成手段により作成された代金回収データを記憶する。尚、代金回収データ作成手段では、動作情報に対応させて所定の動作を行う装置の代金を決定してもよい。
【００３８】
また、請求項１８に係る発明の代金管理サーバでは、請求項１７に記載の発明の構成に加えて、前記動作情報は、所定の動作を行う装置の所定期間内の所定の動作の反復回数、所定の動作を行う装置が所定期間内に動作した動作量及び動作時間の少なくとも一つであることを特徴とする構成となっている。
【００３９】
この構成の代金管理サーバでは、請求項１７に記載の発明の作用に加えて、動作情報は、所定の動作を行う装置の所定期間内の所定の動作の反復回数、所定の動作を行う装置が所定期間内に動作した動作量及び動作時間の少なくとも一つが用いられる。
【００４０】
また、請求項１９に係る発明の代金管理サーバでは、請求項１６乃至１８の何れかに記載の発明の構成に加えて、前記代金回収データ作成手段は、前記利用情報又は前記動作情報に基づいて決定した代金を所定期間毎に集計して、所定期間毎の代金を決定することを特徴とする構成となっている。
【００４１】
この構成の代金管理サーバでは、請求項１６乃至１８の何れかに記載の発明の作用に加えて、代金回収データ作成手段は、利用情報又は動作情報に基づいて決定した代金を所定期間毎に集計して、所定期間毎の代金を決定する。尚、利用情報又は動作情報に対応させて、物品や情報やサービスの代金を決定してもよい。
【００４２】
また、請求項２０に係る発明の代金管理サーバでは、請求項１９に記載の発明の構成に加えて、前記代金回収データ作成手段は、前記利用情報又は前記動作情報に基づいて決定した代金を所定期間毎に集計して、所定期間毎の代金を代金支払者毎に集計して、所定期間毎の代金支払者毎の代金を決定することを特徴とする構成となっている。
【００４３】
この構成の代金管理サーバでは、請求項１９に記載の発明の作用に加えて、代金回収データ作成手段は、利用情報又は動作情報に基づいて決定した代金を所定期間毎に集計して、所定期間毎の代金を代金支払者毎に集計して、所定期間毎の代金支払者毎の代金を決定する。尚、利用情報又は動作情報に対応させて、物品や情報やサービスの代金を決定してもよい。
【００４４】
また、請求項２１に係る発明の代金管理サーバでは、請求項２０に記載の発明の構成に加えて、前記代金回収データ作成手段が作成した所定期間毎の代金支払者毎の代金を通信代金と併せて請求する通信代金請求処理手段を備えたことを特徴とする構成となっている。
【００４５】
この構成の代金管理サーバでは、請求項２０に記載の発明の作用に加えて、通信代金請求処理手段は、代金回収データ作成手段が作成した所定期間毎の代金支払者毎の代金を通信代金と併せて請求する。
【００４６】
また、請求項２２に係る発明の代金管理サーバでは、請求項２１に記載の発明の構成に加えて、前記通信代金は電話料金であることを特徴とする構成となっている。
【００４７】
この構成の代金管理サーバでは、請求項２１に記載の発明の作用に加えて、通信代金は電話料金が用いられる。
【００４８】
また、請求項２３に係る発明の代金管理サーバでは、請求項１６乃至２２の何れかに記載の発明の構成に加えて、前記代金回収データ作成手段は、前記利用情報、前記動作情報、前記代金回収データの内少なくとも１つが所定の閾値以下の場合には、前記代金の課金を行わないことを特徴とする構成となっている。
【００４９】
この構成の代金管理サーバでは、請求項１６乃至２２の何れかに記載の発明の作用に加えて、代金回収データ作成手段は、利用情報、動作情報、代金回収データの内少なくとも１つが所定の閾値以下の場合には、代金の課金を行わない。
【００５０】
また、請求項２４に係る発明の代金管理サーバでは、請求項１７乃至２３の何れかに記載の発明の構成に加えて、前記所定の動作を行う装置は遊技機であることを特徴とする構成となっている。
【００５１】
この構成の代金管理サーバでは、請求項１７乃至２３の何れかに記載の発明の作用に加えて、所定の動作を行う装置は遊技機が用いられる。
【００５２】
また、請求項２５に係る発明の代金管理サーバでは、請求項１７乃至２４の何れかに記載の発明の構成に加えて、前記動作情報は、所定期間内に利用された遊技機の遊技媒体の数であることを特徴とする構成となっている。
【００５３】
この構成の代金管理サーバでは、請求項１７乃至２４の何れかに記載の発明の作用に加えて、動作情報は所定期間内に利用された遊技機の遊技媒体の数が用いられる。
【００５４】
また、請求項２６に係る発明の代金管理サーバでは、請求項１６乃至２５の何れかに記載の発明の構成に加えて、前記代金は、前記物品や情報やサービス又は前記所定の動作を行う装置の貸与を受けた者が支払う貸与代金であることを特徴とする構成となっている。
【００５５】
この構成の代金管理サーバでは、請求項１６乃至２５の何れかに記載の発明の作用に加えて、代金は、物品や情報やサービス又は所定の動作を行う装置の貸与を受けた者が支払う貸与代金が用いられる。
【００５６】
また、請求項２７に係る発明の代金管理サーバでは、請求項１６乃至２６の何れかに記載の発明の構成に加えて、前記代金回収データ作成手段にて、前記利用情報に基づいて前記物品や情報やサービスの代金を決定する際や、前記動作情報に基づいて前記所定の動作を行う装置の代金を決定する際に使用する課金用データテーブルは、前記物品や情報やサービスや装置の種類、前記物品や情報やサービスの提供時期、前記装置設置時期、前記物品や情報やサービスの提供期間、前記装置設置期間及び代金支払者により異なることを特徴とする構成となっている。
【００５７】
この構成の代金管理サーバでは、請求項１６乃至２６の何れかに記載の発明の作用に加えて、代金回収データ作成手段にて、利用情報に基づいて物品や情報やサービスの代金を決定する際や、動作情報に基づいて所定の動作を行う装置の代金を決定する際に使用する課金用データテーブルは、物品や情報やサービスや装置の種類、物品や情報やサービスの提供時期、装置設置時期、物品や情報やサービスの提供期間、装置設置期間及び代金支払者により異なる。
【００５８】
【発明の実施の形態】
以下、本発明の一実施の形態について図面を参照して説明する。図１は、本発明の代金回収システムの一実施の形態である遊技機の貸与代金回収システムのビジネスモデルの概念図である。この実施の形態の遊技機の貸与代金回収システムでは、遊技機製造会社１からパチンコ店２にパチンコ機８（図２参照）をレンタルし、パチンコ店２に設置されたパチンコ機８から電話会社３に設置した代金管理サーバ５が当該パチンコ機８の動作情報を受信して、当該動作情報に基づいて、パチンコ機８のレンタル代金を決定して、その代金を通信代金の一種である電話料金と併せて回収して、そこから手数料及び電話料金を引いたものを遊技機製造会社１に電話会社３が支払うものである。また、代金の回収については、振込又は集金人による集金にて行うが、パチンコ店２が銀行等金融機関と自動引落しの契約を結んでいる場合には、パチンコ店２の預金口座から自動引落しされ、クレジットカード会社とレンタル代金をクレジットカード利用代金として支払をする契約を結んでいる場合には、クレジットカード利用代金と一緒に支払われる。
【００５９】
次に、図２を参照して、本実施の形態の遊技機の貸与代金回収システムを構成する機器について説明する。図２は遊技機の貸与代金回収システムを構成する機器の構成を示すブロック図である。
【００６０】
図２に示すように、パチンコ店２に設置された各パチンコ機８には、パチンコ機８の動作情報を記憶して、後述するポーリングコントローラ７に送信する動作情報転送装置９が各々設けられている。ポーリングコントローラ７は、動作情報転送装置９を順次呼出して、動作情報の送信を要求し、動作情報転送装置９から送信された動作情報を受信して記憶し、後述する動作情報収集サーバ４に送信するようになっている。また、ポーリングコントローラ７には、動作情報収集サーバ４が接続されており、動作情報収集サーバ４は、ポーリングコントローラ７から受信した動作情報をインターネット６を介して、電話会社３に設けられている代金管理サーバ５に送信するようになっている。尚、本実施の形態では、パチンコ機８の動作情報として、１日の営業時間中に、パチンコ機８の遊技領域（図示外）に発射された遊技球の総数、即ち、遊技領域に設けられた、普通入賞口（図示外）、図柄始動口（図示外）、大入賞口（図示外）の何れかに入賞した遊技球数と、何れの入賞口にも入賞できずに遊技領域の下端部に設けられているアウト口（図示外）により回収された遊技球数との総数である稼働球数（動作情報）を用いている。
【００６１】
次に、図３を参照して、動作情報収集サーバ４の構造を説明する。図３は、動作情報収集サーバ４の電気的構成のブロック図である。図３に示すように、動作情報収集サーバ４には、動作情報収集サーバ４の制御を司るＣＰＵ４０が設けられ、ＣＰＵ４０には、各種のデータを一時的に記憶するＲＡＭ４１と、ＢＩＯＳ等を記憶したＲＯＭ４２と、データの受け渡しの仲介を行うＩ／Ｏインターフェース４３とが接続されている。Ｉ／Ｏインターフェース４３には、ハードディスク装置４８が接続され、当該ハードディスク装置４８には、ポーリングコントローラ７から受信した各パチンコ機８の動作情報を記憶する動作情報記憶エリア４８０と、その他の情報記憶エリア４８１と、ＣＰＵ４０で実行されるプログラムを記憶したプログラム記憶エリア４８２とが設けられている。
【００６２】
また、Ｉ／Ｏインターフェース４３には、ビデオコントローラ４４と、キーコントローラ４５と、ＣＤ−ＲＯＭドライブ４６と、ＬＡＮカード４９と、ポーリングコントローラ接続端子５１とが接続され、ビデオコントローラ４４にはＣＲＴ５３が接続され、キーコントローラ４５にはキーボード５４が接続され、ＬＡＮカード４９にはルータ５２が接続され、インターネット６に接続可能となっている。
【００６３】
なお、ＣＤ−ＲＯＭドライブ４６に挿入されるＣＤ−ＲＯＭ４７には、動作情報収集サーバ４の制御プログラムが記憶されており、導入時には、制御プログラムは、ＣＤ−ＲＯＭ４７から、ハードディスク装置４８にセットアップされてプログラム記憶エリア４８２に記憶されるようになっている。
【００６４】
次に、図４を参照して、ポーリングコントローラ７について説明する。図４は、ポーリングコントローラ７のブロック図である。図４に示すように、ポーリングコントローラ７には、ポーリングコントローラ７の制御を司るＣＰＵ７０が設けられ、ＣＰＵ７０には、各種のデータを一時的に記憶するＲＡＭ７２と、ＣＰＵ７０で実行される制御プログラム等を記憶したＲＯＭ７１と、データの受け渡しの仲介を行うＩ／Ｏインターフェース７５とが接続されている。Ｉ／Ｏインターフェース７５には、電波により動作情報転送装置９と通信を行う送受信回路７３と動作情報収集サーバ４に接続するための動作情報収集サーバ接続端子７６とが設けられ、送受信回路７３には、アンテナ７４が設けられている。
【００６５】
次に、図５を参照して、動作情報転送装置９について説明する。図５は、パチンコ機８及び動作情報転送装置９のブロック図である。図５に示すように、動作情報転送装置９には、動作情報転送装置９の制御を司るＣＰＵ９０が設けられ、ＣＰＵ９０には、各種のデータを一時的に記憶するＲＡＭ９２と、ＣＰＵ９０で実行される制御プログラム等を記憶したＲＯＭ９１と、動作情報転送装置９に接続されているパチンコ機８の動作情報である稼働球数を記憶する不揮発メモリであるＥＥＰ−ＲＯＭ９６と、データの受け渡しの仲介を行うＩ／Ｏインターフェース９５と、タイマ回路９７とが接続されている。Ｉ／Ｏインターフェース９５には、電波によりポーリングコントローラ７と通信を行う送受信回路９３が設けられ、送受信回路９３には、アンテナ９４が設けられている。
【００６６】
また、Ｉ／Ｏインターフェース９５には、パチンコ機８の遊技球の払出装置８１に設けられている賞品球センサ８２と貸出球センサ８３及び排出球センサ８４が接続されている。この賞品球センサ８２は、パチンコ機８の発射装置（図示外）から発射された遊技球が所定の入賞口（図示外）に入賞した場合に、払い出される遊技球の数を検出するために設けられているものである。また、貸出球センサ８３は、遊技者が球貸ボタン（図示外）を押した場合に、貸し出される遊技球の数を検出するために設けられているものである。また、排出球センサ８４は、パチンコ機８の遊技領域（図示外）に発射された遊技球の総数、即ち、遊技領域に設けられた、普通入賞口（図示外）、図柄始動口（図示外）、大入賞口（図示外）の何れかに入賞した遊技球数と、何れの入賞口にも入賞できずに遊技領域の下端部に設けられているアウト口（図示外）により回収された遊技球数とを検出するために、遊技球の回収のための排出通路に設けられているものである。本実施の形態では、排出球センサ８４が営業開始から営業終了時刻までに検出する遊技球の総数を稼働球数（動作情報）として用いる。
【００６７】
次に、図６を参照して、電話会社３に設置される代金管理サーバ５の構造を説明する。図６は、代金管理サーバ５の電気的構成のブロック図である。図６に示すように、代金管理サーバ５には、代金管理サーバ５の制御を司るＣＰＵ２０が設けられ、ＣＰＵ２０には、各種のデータを一時的に記憶するＲＡＭ２１と、ＢＩＯＳ等を記憶したＲＯＭ２２と、データの受け渡しの仲介を行うＩ／Ｏインターフェース２３とが接続されている。Ｉ／Ｏインターフェース２３には、ハードディスク装置２８が接続され、当該ハードディスク装置２８には、動作情報収集サーバ４から受信した各パチンコ機８の動作情報を記憶する動作情報記憶エリア２８０と、顧客別課金情報記憶エリア２８１と、代金回収データ記憶エリア２８２と、課金用テーブル記憶エリア２８３と、パチンコ店２が銀行等金融機関と自動引落しの契約をしているか否かの情報等が記憶されたパチンコ店情報記憶エリア２８４と、ＣＰＵ２０で実行されるプログラムを記憶したプログラム記憶エリア２８５と、その他の情報記憶エリア２８６とが設けられている。
【００６８】
また、Ｉ／Ｏインターフェース２３には、ビデオコントローラ２４と、キーコントローラ２５と、ＣＤ−ＲＯＭドライブ２６と、ＬＡＮカード２９とが接続され、ビデオコントローラ２４にはＣＲＴ３０が接続され、キーコントローラ２５にはキーボード３１が接続され、ＬＡＮカード２９にはルータ３２が接続され、インターネット６に接続可能となっている。
【００６９】
なお、ＣＤ−ＲＯＭドライブ２６に挿入されるＣＤ−ＲＯＭ２７には、代金管理サーバ５の制御プログラムが記憶されており、導入時には、制御プログラムは、ＣＤ−ＲＯＭ２７から、ハードディスク装置２８にセットアップされてプログラム記憶エリア２８５に記憶されるようになっている。
【００７０】
次に、図７を参照して、動作情報収集サーバ４に設けられているハードディスク装置４８の動作情報記憶エリア４８０に記憶されている動作情報について説明する。図７は、動作情報記憶エリア４８０に記憶されている動作情報の模式図である。図７に示すように、動作情報記憶エリア４８０には、台番号（パチンコ機毎与えられた個別番号）に対応して１日の稼働球数が記憶されている。図７に示す例では、１０１番台が４００００球、１０２番台が２５０００球、１０３番台が１００００球、１０４番台が５００００球、１０５番台が３３３３３球である。
【００７１】
次に、図８を参照して、代金管理サーバ５に設けられているハードディスク装置２８の動作情報記憶エリア２８０に記憶されている動作情報について説明する。図８は、動作情報記憶エリア２８０に記憶されている動作情報の模式図である。図８に示すように、動作情報記憶エリア２８０には、店名、台番号、当該台番号に対応した１日の稼働球数が記憶されている。図８に示す例では、Ａホールの１０１番台が４００００球、Ａホールの１０２番台が２５０００球、Ａホールの１０３番台が１００００球、Ａホールの１０４番台が５００００球、Ａホールの１０５番台が３３３３３球、Ｂホールの７０番台が２３４２１球、Ｂホールの７１番台が９０００球である。
【００７２】
次に、図９を参照して、代金管理サーバ５に設けられているハードディスク装置２８の顧客別課金情報記憶エリア２８１に記憶されている動作情報について説明する。図９は、顧客別課金情報記憶エリア２８１に記憶されている顧客別課金情報の模式図である。図９に示すように、顧客別課金情報記憶エリア２８１には、店名と１日から３１日まで毎日の店毎のレンタル代金と１ヶ月の合計の金額が記憶されている。尚、各店の１日のレンタル代金は、その店に遊技機製造会社１からレンタルされた全パチンコ機８のその日のレンタル代金の合計である。図９に示す例では、１日は、Ａホールが１００００円、Ｂホールが２００００円、Ｃホールが５０００円、Ｄホールが１５００円、Ｅホールが３０００円であり、２日は、Ａホールが５０００円、Ｂホールが１００００円、Ｃホールが１００００円、Ｄホールが３０００円、Ｅホールが１００００円であり、３日は、Ａホールが５０００円、Ｂホールが５０００円、Ｃホールが１００００円、Ｄホールが２５００円、Ｅホールが２００００円であり、４日は、各ホールが定休日であったので、Ａ〜Ｅの全てのホールが０円であり、３０日は、Ａホールが１００００円、Ｂホールが２００００円、Ｃホールが１００００円、Ｄホールが２０００円、Ｅホールが３００００円であり、３１日は、Ａホールが５０００円、Ｂホールが１００００円、Ｃホールが２００００円、Ｄホールが５０００円、Ｅホールが５００００円であり、１ヶ月の合計では、Ａホールが２０００００円、Ｂホールが５５００００円、Ｃホールが５０００００円、Ｄホールが１０００００円、Ｅホールが４０００００円である。
【００７３】
次に、図１０を参照して、代金管理サーバ５に設けられているハードディスク装置２８の代金回収データ記憶エリア２８２に記憶されている代金回収データについて説明する。図１０は、代金回収データ記憶エリア２８２に記憶されている代金回収データの模式図である。図１０に示すように、代金回収データ記憶エリア２８２には、店名とその月の代金回収データが記憶されている。この代金回収データは、図９に示す顧客別課金情報記憶エリア２８１に記憶されている顧客別課金情報から読み出されて記憶されたものである。図１０に示す例では、Ａホールが２０００００円、Ｂホールが５５００００円、Ｃホールが５０００００円、Ｄホールが１０００００円、Ｅホールが４０００００円である。この代金回収データが電話料金と併せて請求されるパチンコ機８のレンタル代金のデータとなる。
【００７４】
次に、図１１を参照して、代金管理サーバ５に設けられている課金用テーブル記憶エリア２８３に記憶されている課金用テーブル２８３ａについて説明する。図１１は、課金用テーブル記憶エリア２８３に記憶されている課金用テーブル２８３ａの模式図である。図１１に示すように、課金用テーブル２８３ａには、１日当たりのパチンコ機８の稼働球数と、その稼働球数に基づいて決定されるパチンコ機８の１日のレンタル代金が記憶されている。例えば、１日の稼働球数が１０００球までは１台当たり５０円とし、１００１球以上５０００球までは１台当たり２５０円とし、５００１球以上１００００球までは１台当たり５００円とし、１０００１球以上１５０００球までは１台当たり７５０円とし、１５００１球以上２００００球までは１台当たり１０００円とし、２０００１球以上２５０００球までは１台当たり１２５０円とし、２５００１球以上３００００球までは１台当たり１５００円とし、３０００１球以上４００００球までは１台当たり２０００円とし、４０００１球以上は１台当たり２０５０円とする。
【００７５】
次に、上記のように構成された本実施の形態の遊技機の貸与代金回収システムの動作について図１２乃至図１５を参照して説明する。図１２は、動作情報転送装置９がパチンコ機８の動作情報を収集する動作情報収集処理のフローチャートであり、図１３は、動作情報転送装置９の動作情報の送信処理のフローチャートであり、図１４は、動作情報収集サーバ４が行うポーリング処理のフローチャートであり、図１５は、代金管理サーバ５が行う代金回収データ作成処理のフローチャートである。
【００７６】
まず、図１２を参照して、動作情報転送装置９がパチンコ機８の動作情報を収集する動作情報収集処理を説明する。動作情報転送装置９は、図５に示すタイマ回路９７から得る時間データにより、予め設定されているパチンコ店の営業開始時刻であるかを確認し（Ｓ１）、営業開始時刻でない場合には（Ｓ１：ＮＯ）、その時刻になるまで繰り返し時刻確認（Ｓ１）を行い、設定されているパチンコ店の営業開始時刻になったと判断すると（Ｓ１：ＹＥＳ）、動作情報となるパチンコ機８の遊技領域へ発射された遊技球数をカウントする稼働球数カウンタＫの値を「０」としてリセットする（Ｓ２）。
【００７７】
次いで、排出球センサ８４が排出球を感知すると（Ｓ３：ＹＥＳ）、稼働球数カウンタＫの値を「Ｋ＝Ｋ＋１」として、「１」増加する（Ｓ４）。排出球センサ８４が排出球を感知していない場合には（Ｓ３：ＮＯ）、Ｓ３へ戻り排出球センサ８４からの信号を読込む。Ｓ４の後、営業終了時刻になるまでは（Ｓ５：ＮＯ）、排出球センサ８４が排出球を感知する毎に（Ｓ３：ＹＥＳ）、稼働球数カウンタＫの値を「Ｋ＝Ｋ＋１」として、「１」増加する（Ｓ４）。営業終了時刻になると（Ｓ５：ＹＥＳ）、稼働球数カウンタＫの値を図５に示すＥＥＰ−ＲＯＭ９６に記憶する（Ｓ６）。その後、Ｓ１に戻る。
【００７８】
次に、図１３に示すフローチャートに基づいて、動作情報転送装置９が行う動作情報の送信処理について説明する。動作情報転送装置９は、ポーリングコントローラ７から電波による呼出し信号を受信し、その信号に含まれるＩＤ情報が、自己のＩＤ情報であった場合には、自分が呼出されているので（Ｓ１１：ＹＥＳ）、次に、ポーリングコントローラ７から動作情報の要求を受けているか否かを判断する（Ｓ１２）。ポーリングコントローラ７から動作情報の要求を受けていない場合には（Ｓ１２：ＮＯ）、Ｓ１１に戻る。ポーリングコントローラ７から動作情報の要求を受けた場合には（Ｓ１２：ＹＥＳ）、ＥＥＰ−ＲＯＭ９６に記憶した１日分の動作情報である稼働球数カウンタＫの値にどのパチンコ機のものかを識別できるようにＩＤ情報を付したものを、ポーリングコントローラ７に向けてアンテナ９４から送信する（Ｓ１３）（「動作情報送信手段」に該当）。その後、Ｓ１１に戻る。
【００７９】
次に、動作情報収集サーバ４及びポーリングコントローラ７が行うポーリング処理について図１４を参照して説明する。このポーリング処理では、動作情報収集サーバ４がポーリングコントローラ７を制御して、パチンコ店に設置されているパチンコ機８に各々設けられている動作情報転送装置９を順次呼出して、１日分の動作情報である稼働球数カウンタＫの値を取り込むものである。
【００８０】
具体的には、動作情報収集サーバ４で、まず、予め設定されている動作情報の収集時刻か否かを判断する（Ｓ２１）。予め設定されている動作情報の収集時刻でない場合には（Ｓ２１：ＮＯ）、その時刻になるまで繰り返し時刻確認（Ｓ２１）を行う。予め決められた動作情報収集の時刻となると（Ｓ２１：ＹＥＳ）、呼出しカウンタｎを「ｎ＝１」とする（Ｓ２２）。次いで、呼出しカウンタｎの値に対応したパチンコ機８の呼出し処理を行う（Ｓ２３）。この呼出し処理では、動作情報収集サーバ４のポーリングコントローラ接続端子５１に接続されているポーリングコントローラ７を用いて、各パチンコ機８に接続されている動作情報転送装置９に対して、動作情報転送装置９を個別に呼出す識別符号であるＩＤ情報と動作情報要求命令とからなるデータ信号を電波で送信する（Ｓ２３）。
【００８１】
次いで、動作情報転送装置９から１日分の動作情報である稼働球数カウンタＫの値を受信したかを確認し（Ｓ２４）、受信していない場合には（Ｓ２４：ＮＯ）、Ｓ２４に戻り、さらに動作情報の受信をしたかの確認をする（Ｓ２４）。動作情報を受信すると（Ｓ２４：ＹＥＳ）、当該受信した１日分の動作情報である稼働球数カウンタＫの値を一緒に送られてきたＩＤ情報に基づいて、台番号に対応させて、図３に示す動作情報収集サーバ４のハードディスク装置４８の動作情報記憶エリア４８０に記憶する（Ｓ２５）。次いで、全てのパチンコ機８からの動作情報の受信を終了したか否かを判断する（Ｓ２６）。この判断は、呼出しカウンタｎの値が、レンタル代金を払うべきパチンコ機８の総台数になったか否かで判断する。全てのパチンコ機８からの動作情報の受信を終了していない場合には（Ｓ２６：ＮＯ）、呼出しカウンタｎの値を「ｎ＝ｎ＋１」として「１」だけ増加し（Ｓ２７）、Ｓ２３に戻り、上記同様にＳ２３〜Ｓ２６の処理を繰り返す。
【００８２】
全てのパチンコ機８からの動作情報の受信を終了した場合には（Ｓ２６：ＹＥＳ）、ハードディスク装置４８の動作情報記憶エリア４８０に記憶している全てのパチンコ機８の動作情報（１日分の動作情報である稼働球数カウンタＫの値）を店の識別情報及びパチンコ機８の識別情報と共に代金管理サーバ５にインターネット６を介して送信する（Ｓ２８）（「動作情報収集サーバ側動作情報送信手段」に該当）。このときに、動作情報は、公開鍵等を用いて暗号化されて送信され、代金管理サーバ５側で復号化されることになる。
【００８３】
次に、電話会社３に設置した代金管理サーバ５が行う代金回収データ作成処理について図１５を参照して説明する。この代金回収データ作成処理では、代金管理サーバ５が動作情報収集サーバ４から受信した動作情報に基づいて、各パチンコ店毎のパチンコ機８のレンタル代金を決定するものである。
【００８４】
具体的には、代金管理サーバ５が動作情報収集サーバ４から動作情報を受信したかの確認をし（Ｓ３１）、受信していない場合には（Ｓ３１：ＮＯ）、Ｓ３１へ戻り、引き続き受信の確認を行う。動作情報を受信すると（Ｓ３１：ＹＥＳ）、図６に示す代金管理サーバ５のハードディスク装置２８の動作情報記憶エリア２８０に記憶する（Ｓ３２）。次いで、代金回収データ作成処理が行われる（Ｓ３３）。代金回収データ作成処理は、具体的には、以下のように行われる。
【００８５】
まず、ハードディスク装置２８の動作情報記憶エリア２８０に記憶されている各パチンコ店の各台の稼働球数に基づいて、図１１に示すハードディスク装置２８の課金用テーブル記憶エリア２８３に記憶されている課金用テーブル２８３ａを参照して、店毎の一日のレンタル代金を決定する。具体的には、その店の各台の稼働球数が課金用テーブル２８３ａで幾らに該当するかを参照し、その店毎の各台の金額を合計して合計金額を求めて、図９に示す、顧客別課金情報記憶エリア２８１のその店の該当日の欄（記憶エリア）に記憶する。例えば、ある月１日のＡホールのパチンコ機８のレンタル代金が１００００円だったら図９に示すように該当欄（記憶エリア）に１００００円と記憶する。また、ある月３１日のＥホールのパチンコ機８のレンタル代金が５００００円だったら図９に示すように該当欄（記憶エリア）に５００００円と記憶する。
【００８６】
次いで、１ヶ月分が完了したか否かを判断する（Ｓ３４）。１ヶ月分が完了していないときには（Ｓ３４：ＮＯ）、処理を終了する。１ヶ月分が完了した場合には（Ｓ３４：ＹＥＳ）、図１０に示すハードディスク装置２８の代金回収データ記憶エリア２８２に店毎の代金回収データを一旦記憶して、そのデータを代金管理サーバ５から電話料金請求書作成用コンピュータ（図示外）に出力し（Ｓ３５）、さらに、パチンコ店情報記憶エリア２８４を確認し、銀行等金融機関と自動引落しをしているパチンコ店については金融機関用データを、クレジットカード会社とレンタル代金をクレジットカード利用代金として支払をする契約を結んでいる店については、クレジットカード会社用データを、電話料金請求書作成用コンピュータ（図示外）に出力する（Ｓ３６）。なお、代金回収データ及び自動引落し用データは、ＣＤ−ＲやＦＤ等の記憶媒体に出力して、それを電話料金請求書作成用コンピュータに読み込ませるようにしても良い。その後、電話会社３は、電話料金請求書作成用コンピュータを用いて、パチンコ店に対して電話料金の請求に併せて、１ヶ月分のパチンコ機８のレンタル代金を請求する請求書を発行する。
【００８７】
したがって、上記の実施の形態の遊技機の貸与代金回収システムでは、図１６に示す遊技機の貸与代金回収システムの概念図にあるように、遊技機製造会社１とパチンコ店２と電話会社３とは、パチンコ機８のレンタル代金の回収代行契約を結ぶ。遊技機製造会社１からパチンコ店２へは、パチンコ機８がレンタルされ、電話会社３へは、課金用テーブル２８３ａのデータが送られる。また、パチンコ店２から電話会社３へは、パチンコ機８の動作情報が渡される。電話会社３では、代金管理サーバ５を用いて、上記のようにパチンコ機８のレンタル代金を１ヶ月毎に求めて、パチンコ店２に対して、電話料金の請求に併せてパチンコ機８のレンタル代金を請求する。パチンコ店２からは、代金が電話会社３に支払われ、電話会社３からはパチンコ店２からの収納額から手数料及び電話料金を引いたものが遊技機製造会社１に振り込まれる。パチンコ店２から電話会社３への支払いは、振込又は集金人による集金にて行われるが、パチンコ店２が銀行等金融機関と自動引落しの契約を結んでいる場合には、パチンコ店２の預金口座から自動引落しにより行われる。また、このときに予めパチンコ店２から遊技機製造会社１へはレンタル代金の回収代行の依頼をして貰っておく。
【００８８】
以上説明したように、本実施の形態の遊技機の貸与代金回収システムでは、パチンコ店２に設置したパチンコ機８に接続した動作情報転送装置９に対して、ポーリングコントローラ７が順次、ポーリングを行って、各パチンコ機８の動作情報である稼働球数カウンタＫの値を受信して動作情報収集サーバ４に記憶することができる。そして、その動作情報をインターネット６を介して電話会社３に設けた代金管理サーバ５に送信して、代金管理サーバ５では、通信代金の一種である電話料金と併せて請求するための代金回収データを作成することができる。その後、電話会社３は、パチンコ店２に対して通信代金の一種である電話料金の請求に併せて、１ヶ月分のパチンコ機８のレンタル代金を請求することができ、パチンコ機８のレンタル代金は、通信代金の一種である電話料金と併せて確実に電話会社３が回収して、遊技機製造会社１に振り込むことが可能となる。
【００８９】
したがって、パチンコ機８のレンタル代金は、月々のパチンコ機８の稼働状況により決定されるため、パチンコ店２は新しいパチンコ機を導入する際に、多大な初期投資を負担しなくてよい。さらに、導入後も、当該パチンコ機の人気がなく、稼働率が悪い場合には高いレンタル代金を支払う必要がない。また、電話料金と併せて請求、回収されるため、遊技機製造会社１においては、独自で請求書を発行したり、代金の回収をするための集金人を雇い入れたり、振込による入金の確認をしたり、支払いがされない場合に再請求をしたりする必要がなく、パチンコ店２においても、２つの支払いが１回で行えるため、支払いの手間や請求書の管理の手間を省くことができる。そして、パチンコ店２は請求代金を支払わないと電話の使用が止められるために、請求代金の支払いを滞らせないように心がけると思われ、パチンコ機８のレンタル代金は、その単独での請求に比べてより確実に回収されることになる。また、レンタルという形態をとることにより、パチンコ機８は遊技機製造会社１へ回収されるため、遊技機製造会社１はリサイクル活用することができ、不法投棄を防ぐことができる。
【００９０】
尚、上記実施の形態では、所定の動作を行う装置としてパチンコ機を扱ったが、本発明はパチンコ機に限られず、パチコン機、パチスロ機等の各種の遊技機に適用可能であり、さらには、遊技機に限らず、所定の動作を行って製品を製造する工作機械、所定の動作を行って商品を販売する自動販売機、所定の動作を行ってサービスを提供するサービス提供装置にも適用可能である。
【００９１】
また、上記実施の形態では、代金決定に関与する所定の動作を行う装置の動作に関する数量である動作情報として、パチンコ機８の遊技領域に１日に発射された遊技球数である稼働球数を用いた。しかし、動作情報は必ずしも稼働球数に限られず、例えば、１日の営業時間中に、貸出球数、図柄始動回数、稼働時間等の遊技機が出力する各種遊技情報や、遊技媒体計数機や遊技媒体貸出機等の遊技場内の遊技機以外の装置から発生する各種情報などを用いてもよい。また、所定の動作を行う装置がパチンコ機でない場合には、製造製品数、販売商品数、稼働時間、サービス提供回数、サービス提供時間など、各々の装置の動作に関する数量を用いればよい。
【００９２】
さらに、上記実施の形態では、パチンコ機８の代金の決定に関与する動作情報は、パチンコ機８の動作情報転送装置９で自動収集され、次いで、動作情報収集サーバ４からのポーリングにより各遊技店の動作情報が動作情報収集サーバ４へ収集されたが、物品や情報やサービスの代金の決定に関与する利用情報を利用情報収集サーバへ収集する場合には、物品や情報やサービスの提供方法が様々な形態であるため、様々な収集方法が考えられる。ここで、物品や情報やサービスについて考えると、物品は本や食品等の商品が考えられ、情報は天気予報、交通機関時刻表、店舗の営業案内、音楽、画像、ある装置を稼働させるためのプログラムやソフトウェアなどの種々の情報が考えられ、サービスは美容院での髪のカットや宿泊施設での宿泊やインターネットや情報配信端末や無線通信端末を利用した情報の提供や写真の現像などが考えられる。物品や情報やサービスがインターネット等のネットワークを介して提供される場合には、提供時に提供側コンピュータにて自動的に利用情報を収集し、利用情報収集サーバへ送信してもよい。また、物品や情報やサービスが装置を介して提供される場合には、装置にて自動的に利用情報を収集し、利用情報収集サーバへ送信してもよい。また、物品や情報やサービスが装置を介さず、人の手のみで提供される場合には、レジスタやＰＯＳ（Ｐｏｉｎｔ　ｏｆ　Ｓａｌｅ）端末や専用端末などの利用情報記憶装置を設置し、物品や情報やサービスを提供した場合に、担当者がキーボード、バーコードリーダ、タッチパネル画面、入力ボタンなどから利用情報を利用情報記憶装置に入力して、記憶し、利用情報収集サーバへ送信するようにしてもよい。これらの場合に、利用情報収集サーバへの利用情報の送信は、利用情報収集サーバからのポーリングに応じて行ってもよい。また、物品や情報やサービスが装置を介さず、人の手のみで提供される場合には、通信にて利用情報を利用情報収集サーバへ入力する方法ではなく、利用情報記憶装置に記憶された利用情報をフレキシブルディスクや磁気テープ等の記憶媒体に記憶したり、紙に印字したり、手書きで利用情報を記入したものを郵送にて利用情報収集サーバ設置場所に送付し、利用情報収集サーバに入力してもよい。
【００９３】
また、上記実施の形態の代金回収システムでは、代金としてレンタル代金を扱ったが、これはレンタル代金に限らず、リース代金や販売代金であってもよい。、レンタルやリースのように貸与形態をとる場合、契約期間終了後の貸与物件は貸与者の所有となり回収されるが、被貸与者が希望する場合には被貸与者の所有としてもよい。
【００９４】
また、上記実施の形態の代金回収システムでは、代金は１日から月末までを１ヶ月分としてまとめて請求されているが、必ずしも１日から月末までを１ヶ月分とする必要はない。また、所定の動作を行う装置の納入日が月の途中の日の場合には、その日から月末分までを上記のように動作情報に応じて、日割りで請求するようにしても良い。さらに、代金の全額を上記の実施の形態の代金回収システムを用いて回収せずに、例えば、レンタル開始時にパチンコ機８の代金の半額又は原価相当金額を受領しておき、残りを上記の実施の形態の代金回収システムを用いて回収するようにしても良い。また、上記実施の形態の代金回収システムでは、通信代金として電話料金を挙げているが、通信代金は電話料金に限られず、携帯電話やＰＨＳ端末等の通信端末機器を利用した無線通信網の使用代金、インターネット接続代金、専用回線の使用代金などでも良い。
【００９５】
また、動作情報収集サーバ４にて、動作情報転送装置９から送信された動作情報は、ハードディスク装置４８の動作情報記憶エリア４８０に記憶されているが、これはＲＡＭ４１に一時的に記憶するだけにしても良い。さらに、代金管理サーバ５にて、動作情報収集サーバ４から送信された動作情報はハードディスク装置２８の動作情報記憶エリア２８０に記憶されているが、これはＲＡＭ２１に一時的に記憶するだけにしてもよい。
【００９６】
さらに、ポーリングコントローラ７と動作情報転送装置９との間の通信は、電波に限られず赤外線等や有線を用いても良い。また、動作情報収集サーバ４から代金管理サーバ５への通信は、インターネット６を用いずに、専用回線等を用いて直接接続するようにしても良い。
【００９７】
さらに、上記の実施の形態の代金回収システムでは、図１１に示す課金用テーブル２８３ａを用いて、全ての稼働球数に対して、課金を行うようにしているが、閾値以下であれば課金を行わないようにしても良い。例えば、図１７に示すように、１５０００球までは課金しない課金用テーブル２８３ｂを用いても良い。この課金用テーブル２８３ｂには、１日当たりのパチンコ機８の稼働球数と、その稼働球数に基づいて決定されるパチンコ機８の１日のレンタル代金が記憶されている。例えば、１日の稼働球数が１５０００球までは１台当たり０円として課金せず、１５００１球以上２００００球までは１台当たり１０００円とし、２０００１球以上２５０００球までは１台当たり１２５０円とし、２５００１球以上３００００球までは１台当たり１５００円とし、３０００１球以上４００００球までは１台当たり２０００円とし、４０００１球以上は１台当たり２０５０円とする。
【００９８】
また、全てのパチンコ店２が同じ課金用テーブルを用いる必要はなく、パチンコ店２毎に異なる課金用テーブルを用いてもよく、パチンコ店２に複数の種類のパチンコ機が設置されている場合には、パチンコ機８の種類毎に異なる課金用テーブルを用いてもよい。さらに、パチンコ機８の設置時期により異なる課金用テーブルを使用してもよい。例えば、当該パチンコ機８の発売開始から３ヶ月経過後に設置した場合には、発売開始当初の課金よりも安い課金用テーブルを使用する。また、パチンコ機８の設置期間経過により課金用テーブルを変更してもよい。例えば、パチンコ機８を設置して６ヶ月経過後は課金用テーブルを安いものに変更する。
【００９９】
また、上記実施の形態の代金回収システムでは、代金管理サーバ５にて各パチンコ店２から動作情報を収集し、代金管理サーバ５が記憶している課金用テーブル２８３ａを用いて代金を算出しているが、これは、動作情報収集サーバ４にて課金用テーブルを記憶して代金を算出したり、動作情報転送装置９にてパチンコ機８毎に課金用テーブルを記憶して代金を算出したりし、代金情報を代金管理サーバ５へ送信するようにしてもよい。
【０１００】
【発明の効果】
以上説明したように、請求項１に係る発明の代金回収システムでは、利用情報収集サーバの利用情報収集サーバ側利用情報入力手段は、利用情報を入力し、利用情報収集サーバ側利用情報記憶手段は、利用情報収集サーバ側利用情報入力手段により入力された利用情報を少なくとも一時的に記憶し、利用情報収集サーバ側利用情報送信手段は、利用情報収集サーバ側利用情報記憶手段に記憶された利用情報をネットワークを介して、代金管理サーバに送信することができる。また、代金管理サーバの代金管理サーバ側利用情報受信手段は、利用情報収集サーバ側利用情報送信手段から送信された利用情報を受信し、代金管理サーバ側利用情報記憶手段は、代金管理サーバ側利用情報受信手段が受信した利用情報を少なくとも一時的に記憶し、代金回収データ作成手段は、代金管理サーバ側利用情報記憶手段に記憶された利用情報に基づいて、物品や情報やサービスの代金を決定し、代金回収データを作成し、代金回収データ記憶手段は、代金回収データ作成手段により作成された代金回収データを記憶することができる。尚、代金回収データ作成手段では、利用情報に対応させて物品や情報やサービスの代金を決定することもできる。したがって、物品や情報やサービスの代金を、その利用状況に応じて請求することができるため、利用者はその物品や情報やサービスの利用量に応じて代金を支払う。利用者側では、利用状況の少ない物品や情報やサービスに対して高い代金を支払うリスクを回避できる。
【０１０１】
また、請求項２に係る発明の代金回収システムでは、請求項１に記載の発明の効果に加えて、利用情報収集サーバは、物品や情報やサービスが提供された場合に、利用情報が少なくとも一時的に記憶される装置から利用情報を受信することができる。したがって、利用情報収集サーバは遠隔地にて物品や情報やサービスが提供された場合の利用情報を収集する際に、郵送や口頭に依らず、短時間で効率的に正確に収集することができる。
【０１０２】
また、請求項３に係る発明の代金回収システムでは、所定の動作を行う装置に接続された動作情報送信手段は、動作情報を動作情報収集サーバに送信し、動作情報収集サーバの動作情報収集サーバ側動作情報受信手段は、動作情報送信手段から送信された動作情報を受信し、動作情報収集サーバ側動作情報記憶手段は、動作情報収集サーバ側動作情報受信手段が受信した動作情報を少なくとも一時的に記憶し、動作情報収集サーバ側動作情報送信手段は、動作情報収集サーバ側動作情報記憶手段に記憶された動作情報をネットワークを介して、代金管理サーバに送信することができる。また、代金管理サーバの代金管理サーバ側動作情報受信手段は、動作情報収集サーバ側動作情報送信手段から送信された動作情報を受信し、代金管理サーバ側動作情報記憶手段は、代金管理サーバ側動作情報受信手段が受信した動作情報を少なくとも一時的に記憶し、代金回収データ作成手段は、代金管理サーバ側動作情報記憶手段に記憶された動作情報に基づいて、所定の動作を行う装置の代金を決定し、代金回収データを作成し、代金回収データ記憶手段は、代金回収データ作成手段により作成された代金回収データを記憶することができる。尚、代金回収データ作成手段では、動作情報に対応させて代金を決定することもできる。したがって、所定の動作を行う装置の動作状況に応じて請求することができるため、代金支払者は装置の動作状況に応じて支払いをすればよい。代金受取者側では、動作頻度の高い装置からは高い代金を得ることができ、代金支払者側では、動作頻度の低い装置に高い代金を支払うリスクを回避できる。
【０１０３】
また、請求項４に係る発明の代金回収システムでは、請求項２又は３に記載の発明の効果に加えて、利用情報収集サーバ又は動作情報収集サーバのポーリング手段は、利用情報が少なくとも一時的に記憶される装置又は所定の動作を行う装置に対して呼出しを行い、動作情報又は利用情報の送信を要求することができる。したがって、所定の動作を行う装置の動作情報を手間をかけずに自動で収集することができる。
【０１０４】
また、請求項５に係る発明の代金回収システムでは、請求項３又は４に記載の発明の効果に加えて、動作情報は、所定の動作を行う装置の所定期間内の所定の動作の反復回数、所定の動作を行う装置が所定期間内に動作した動作量及び動作時間の少なくとも一つを用いることができる。
【０１０５】
また、請求項６に係る発明の代金回収システムでは、請求項１乃至５の何れかに記載の発明の効果に加えて、代金回収データ作成手段は、利用情報又は動作情報に基づいて決定した代金を所定期間毎に集計して、所定期間毎の代金を決定することができる。尚、利用情報又は動作情報に対応させて代金を決定することもできる。
【０１０６】
また、請求項７に係る発明の代金回収システムでは、請求項６に記載の発明の効果に加えて、代金回収データ作成手段は、利用情報又は動作情報に基づいて決定した代金を所定期間毎に集計して、所定期間毎の代金を代金支払者毎に集計して、所定期間毎の代金支払者毎の代金を決定することができる。尚、利用情報又は動作情報に対応させて代金を決定することもできる。
【０１０７】
また、請求項８に係る発明の代金回収システムでは、請求項７に記載の発明の効果に加えて、通信代金請求処理手段は、代金回収データ作成手段が作成した所定期間毎の代金支払者毎の代金を通信代金と併せて請求することができる。したがって、物品や情報やサービスや所定の動作を行う装置の代金が通信代金と併せて請求されることにより、代金受取者は独自で請求書を発行する必要がなくなり、かつ、代金の回収をするために集金人を雇い入れたり、入金の確認をしたり、支払いがされない場合に再請求をしたりする必要がなくなる。また、代金支払者においても、２つの支払いが１回で行えるため、支払いを振込で行う場合の振込の手間や請求書の管理の手間を省くことができる。さらに、通信代金の支払いを滞ると、携帯電話やＰＨＳ端末、インターネット、専用回線などの通信サービスを利用することができなくなるため、物品や情報やサービスや所定の動作を行う装置の代金単独での請求回収よりも確実なものとなる。
【０１０８】
また、請求項９に係る発明の代金回収システムでは、請求項８に記載の発明の効果に加えて、通信代金請求処理手段は、代金支払者に、銀行等金融機関と自動引落しの契約がある場合には自動引落しデータを作成し、また、クレジットカード会社と代金についてクレジットカード利用代金として支払いをする契約がある場合にはクレジット支払データを作成することができる。したがって、代金支払者が銀行等金融機関との自動引落しの契約をしたり、クレジットカード会社とクレジット利用代金と併せて請求する契約をしたりすれば、自動的に請求代金が回収されるため、集金人が請求代金の集金に代金支払者を訪れたり、代金支払者が払込みをしたりする手間が省け、容易に代金が回収できる。また、代金支払者の自動引落し契約口座に預金残高がある場合には、確実に代金が回収できる。
【０１０９】
また、請求項１０に係る発明の代金回収システムでは、請求項８又は９に記載の発明の効果に加えて、通信代金は電話料金を用いることができる。代金支払者は、電話料金の支払いを滞ると電話を使用することができなくなる。代金支払者において、電話の使用ができなくなるということは大変不便であり、代金支払者は、電話を使用するために、電話料金の支払いを滞らせることのないように心がけていると思われる。したがって、物品や情報やサービスや所定の動作を行う装置の代金の回収は、電話料金と併せて請求されることにより、物品や情報やサービスや所定の動作を行う装置の代金単独での請求回収よりも確実なものとなる。
【０１１０】
また、請求項１１に係る発明の代金回収システムでは、請求項１乃至１０の何れかに記載の発明の効果に加えて、代金回収データ作成手段は、利用情報、動作情報、代金回収データの内少なくとも１つが所定の閾値以下の場合には、代金の課金を行わないようにできる。
【０１１１】
また、請求項１２に係る発明の代金回収システムでは、請求項３乃至１１の何れかに記載の発明の効果に加えて、所定の動作を行う装置は遊技機を用いることができる。
【０１１２】
また、請求項１３に係る発明の代金回収システムでは、請求項３乃至１２の何れかに記載の発明の効果に加えて、動作情報は所定期間内に利用された遊技機の遊技媒体の数を用いることができる。
【０１１３】
また、請求項１４に係る発明の代金回収システムでは、請求項１乃至１３の何れかに記載の発明の効果に加えて、代金は、物品や情報やサービス又は所定の動作を行う装置の貸与を受けた者が支払う貸与代金を用いることができる。
【０１１４】
また、請求項１５に係る発明の代金回収システムでは、請求項１乃至１４の何れかに記載の発明の効果に加えて、代金回収データ作成手段にて、利用情報に基づいて物品や情報やサービスの代金を決定する際や、動作情報に基づいて所定の動作を行う装置の代金を決定する際に使用する課金用データテーブルは、物品や情報やサービスや装置の種類、物品や情報やサービスの提供時期、装置設置時期、物品や情報やサービスの提供期間、装置設置期間及び代金支払者により異なるようにすることができる。
【０１１５】
また、請求項１６に係る発明の代金管理サーバでは、代金管理サーバ側利用情報受信手段は、利用情報収集サーバから送信された利用情報を受信し、代金管理サーバ側利用情報記憶手段は、代金管理サーバ側利用情報受信手段が受信した利用情報を少なくとも一時的に記憶し、代金回収データ作成手段は、代金管理サーバ側利用情報記憶手段に記憶された利用情報に基づいて、物品や情報やサービスの代金を決定し、代金回収データを作成する代金回収データを作成し、代金回収データ記憶手段は、代金回収データ作成手段により作成された代金回収データを記憶することができる。尚、代金回収データ作成手段では、利用情報に対応させて物品や情報やサービスの代金を決定することもできる。
【０１１６】
また、請求項１７に係る発明の代金管理サーバでは、代金管理サーバ側動作情報受信手段は、動作情報収集サーバから送信された動作情報を受信し、代金管理サーバ側動作情報記憶手段は、代金管理サーバ側動作情報受信手段が受信した動作情報を少なくとも一時的に記憶し、代金回収データ作成手段は、代金管理サーバ側動作情報記憶手段に記憶された動作情報に基づいて、所定の動作を行う装置の代金を決定し、代金回収データを作成し、代金回収データ記憶手段は、代金回収データ作成手段により作成された代金回収データを記憶することができる。尚、代金回収データ作成手段では、動作情報に対応させて所定の動作を行う装置の代金を決定することもできる。
【０１１７】
また、請求項１８に係る発明の代金管理サーバでは、請求項１７に記載の発明の効果に加えて、動作情報は、所定の動作を行う装置の所定期間内の所定の動作の反復回数、所定の動作を行う装置が所定期間内に動作した動作量及び動作時間の少なくとも一つを用いることができる。
【０１１８】
また、請求項１９に係る発明の代金管理サーバでは、請求項１６乃至１８の何れかに記載の発明の効果に加えて、代金回収データ作成手段は、利用情報又は動作情報に基づいて決定した代金を所定期間毎に集計して、所定期間毎の代金を決定することができる。尚、利用情報又は動作情報に対応させて代金を決定することもできる。
【０１１９】
また、請求項２０に係る発明の代金管理サーバでは、請求項１９に記載の発明の効果に加えて、代金回収データ作成手段は、利用情報又は動作情報に基づいて決定した代金を所定期間毎に集計して、所定期間毎の代金を代金支払者毎に集計して、所定期間毎の代金支払者毎の代金を決定することができる。尚、利用情報又は動作情報に対応して代金を決定することもできる。
【０１２０】
また、請求項２１に係る発明の代金管理サーバでは、請求項２０に記載の発明の効果に加えて、通信代金請求処理手段は、代金回収データ作成手段が作成した所定期間毎の代金支払者毎の代金を通信代金と併せて請求することができる。
【０１２１】
また、請求項２２に係る発明の代金管理サーバでは、請求項２１に記載の発明の効果に加えて、通信代金は電話料金を用いることができる。
【０１２２】
また、請求項２３に係る発明の代金管理サーバでは、請求項１６乃至２２の何れかに記載の発明の効果に加えて、代金回収データ作成手段は、利用情報、動作情報、代金回収データの内少なくとも１つが所定の閾値以下の場合には、代金の課金を行わないようにすることができる。
【０１２３】
また、請求項２４に係る発明の代金管理サーバでは、請求項１７乃至２３の何れかに記載の発明の効果に加えて、所定の動作を行う装置は遊技機を用いることができる。
【０１２４】
また、請求項２５に係る発明の代金管理サーバでは、請求項１７乃至２４の何れかに記載の発明の効果に加えて、動作情報は所定期間内に利用された遊技機の遊技媒体の数を用いることができる。
【０１２５】
また、請求項２６に係る発明の代金管理サーバでは、請求項１６乃至２５の何れかに記載の発明の効果に加えて、代金は、物品や情報やサービス又は所定の動作を行う装置の貸与を受けた者が支払う貸与代金を用いることができる。
【０１２６】
また、請求項２７に係る発明の代金管理サーバでは、請求項１６乃至２６の何れかに記載の発明の効果に加えて、代金回収データ作成手段にて、利用情報に基づいて物品や情報やサービスの代金を決定する際や、動作情報に基づいて所定の動作を行う装置の代金を決定する際に使用する課金用データテーブルは、物品や情報やサービスや装置の種類、物品や情報やサービスの提供時期、装置設置時期、物品や情報やサービスの提供期間、装置設置期間及び代金支払者により異なるようにできる。
【図面の簡単な説明】
【図１】図１は、本発明の一実施の形態である遊技機の貸与代金回収システムのビジネスモデルの概念図である。
【図２】図２は、遊技機の貸与代金回収システムを構成する機器の構成を示すブロック図である。
【図３】図３は、動作情報収集サーバ４の電気的構成のブロック図である。
【図４】図４は、ポーリングコントローラ７のブロック図である。
【図５】図５は、動作情報転送装置９のブロック図である。
【図６】図６は、代金管理サーバ５の電気的構成のブロック図である。
【図７】図７は、動作情報記憶エリア４８０に記憶されている動作情報の模式図である。
【図８】図８は、動作情報記憶エリア２８０に記憶されている動作情報の模式図である。
【図９】図９は、顧客別課金情報記憶エリア２８１に記憶されている顧客別課金情報の模式図である。
【図１０】図１０は、代金回収データ記憶エリア２８２に記憶されている代金回収データの模式図である。
【図１１】図１１は、課金用テーブル記憶エリア２８３に記憶されている課金用テーブル２８３ａの模式図である。
【図１２】図１２は、動作情報転送装置９がパチンコ機８の動作情報を収集する動作情報収集処理のフローチャートである。
【図１３】図１３は、動作情報転送装置９の動作情報の送信処理のフローチャートである。
【図１４】図１４は、動作情報収集サーバ４が行うポーリング処理のフローチャートである。
【図１５】図１５は、代金管理サーバ５が行う代金回収データ作成処理のフローチャートである。
【図１６】図１６は、遊技機の貸与代金回収システムの概念図である。
【図１７】図１７は、課金用テーブル記憶エリア２８３に記憶されている課金用テーブル２８３ｂの模式図である。
【図１８】図１８は、従来の代金の請求システムを示す図である。
【符号の説明】
１　　遊技機製造会社
２　　パチンコ店
３　　電話会社
４　　動作情報収集サーバ
５　　代金管理サーバ
６　　インターネット
７　　ポーリングコントローラ
８　　パチンコ機
９　　動作情報転送装置
２０　　ＣＰＵ
２１　　ＲＡＭ
２３　　Ｉ／Ｏインターフェース
２８　　ハードディスク装置
２９　　ＬＡＮカード
３２　　ルータ
４０　　ＣＰＵ
４１　　ＲＡＭ
４３　　Ｉ／Ｏインターフェース
４８　　ハードディスク装置
４９　　ＬＡＮカード
８２　　賞品球センサ
８３　　貸出球センサ
８４　　排出球センサ
２８０　動作情報記憶エリア
２８１　顧客別課金情報記憶エリア
２８２　代金回収データ記憶エリア
２８３　課金用テーブル記憶エリア
２８４　パチンコ店情報記憶エリア
４８０　動作情報記憶エリア
【図１】
2004024895.tif 000003
【図２】
2004024895.tif 000004
【図３】
2004024895.tif 000005
【図４】
2004024895.tif 000006
【図５】
2004024895.tif 000007
【図６】
2004024895.tif 000008
【図７】
2004024895.tif 000009
【図８】
2004024895.tif 000010
【図９】
2004024895.tif 000011
【図１０】
2004024895.tif 000012
【図１１】
2004024895.tif 000013
【図１２】
2004024895.tif 000014
【図１３】
2004024895.tif 000015
【図１４】
2004024895.tif 000016
【図１５】
2004024895.tif 000017
【図１６】
2004024895.tif 000018
【図１７】
2004024895.tif 000019
【図１８】
2004024895.tif 000020